(57)【特許請求の範囲】
【請求項１】
イオン選択性電極と比較電極とを備えているイオン濃度測定用複合電極であって、
前記比較電極の内部液が、前記比較電極の先端に設けた液絡部を介して、前記イオン選択性電極の応答膜近傍に漏出するように構成してあるものであり、
前記内部液が、測定妨害物質用マスキング剤、測定対象イオンの錯体に対する錯体解離剤、電極洗浄剤、及びｐＨ調整剤からなる群より選ばれる少なくとも１種の試料溶液調整剤を含有していることを特徴とするイオン濃度測定用複合電極。
【請求項２】
前記イオン選択性電極が、フッ化物イオン、アンモニウムイオン、硝酸イオン、カルシウムイオン、塩化物イオン、及びカリウムイオンからなる群より選ばれる少なくとも１種のイオンを選択的に測定するものである請求項１記載のイオン濃度測定用複合電極。
【請求項３】
前記内部液が、イオン強度調整剤を含有している請求項１又は２記載のイオン濃度測定用複合電極。
【請求項４】
前記比較電極が、その基端部を収容するホルダーを備えているものであって、
前記ホルダーと前記比較電極の基端部との間隙に補給用の比較電極内部液を収容することが可能なように構成してあり、
前記間隙と前記比較電極内部とが連絡している請求項１、２又は３記載のイオン濃度測定用複合電極。
【請求項５】
前記比較電極の液絡部と前記イオン選択性電極の応答膜とを囲む遮断壁を備えている請求項１、２、３又は４記載のイオン濃度測定用複合電極。
【請求項６】
プローブと、そのプローブに無線又は有線で接続されたイオン濃度計本体とを備えているものであって、
前記プローブが、請求項１、２、３、４又は５記載のイオン濃度測定用複合電極であることを特徴とするイオン濃度モニター。
【発明の詳細な説明】
【技術分野】
【０００１】
この発明は、イオン選択性電極と比較電極とを備えたイオン濃度測定用複合電極及びそれを備えたイオン濃度モニターに関するものである。
【背景技術】
【０００２】
水質汚濁防止法は、工場又は事業場から公共用水域に排出される水の排出及び地下に浸透する水の浸透を規制する法律であり、工場及び事業場から排出される汚水及び廃液によって、人の健康に被害が生じた場合には、当該事業場等は損害賠償の責任を負うこととなる。水質汚濁防止法では、種々の物質が有害物質として規制され、廃液中における濃度が制限されている。近時、環境に対する関心の高まりとともに、各種事業場から排出される廃液に対して更に厳しい監視の目が向けられるようになり、水質汚濁防止法で規制される有害物質に、２００１年７月１日から新たに「ホウ素及びその化合物」、「フッ素及びその化合物」、「アンモニア、アンモニウム化合物、亜硝酸化合物及び硝酸化合物」が加わった。このうち、例えば、フッ素に関しては、フッ化物イオンを選択的に測定するフッ化物イオン選択性電極を備えたフッ化物イオン測定装置が開発され、各種事業場で使用されている。
【０００３】
フッ化物イオンは、試料溶液中に多価金属イオンが共存すると、それらと錯体を形成する。従って、試料溶液のフッ化物イオン濃度を測定するに際して、フッ化物イオンと多価金属イオンからなる錯体を解離させる必要がある。このため、従来の自動フッ化物イオン測定装置は、採取してきた試料溶液に一定量の全イオン強度調整剤（Ｔｏｔａｌ−Ｉｏｎｉｃ  Ｓｔｒｅｎｇｔｈ  Ａｄｊｕｓｔｍｅｎｔ  Ｂｕｆｆｅｒ；以下、ＴＩＳＡＢとする）を外部から試料溶液に添加して、フッ化物イオンとＡｌ３＋やＦｅ３＋等の多価金属イオンからなる錯体を解離させてから、試料溶液をフッ化物イオン選択性電極の設置された測定セル部に注入して、フッ化物イオン濃度を測定するよう構成してある。
【０００４】
このため、従来の自動フッ化物イオン測定装置は、図６に示すように、ＴＩＳＡＢを収容するためのタンク１１３や、一定量のＴＩＳＡＢを添加するためのポンプ１０２ｂや、それらを機能させるための複雑な配管系２０４等を備えている大型なものであり、実験室内に据え置いて使用されている。より詳細には、従来の自動フッ化物イオン測定装置１００の流路系は、試料溶液をイオン電極１０４に導く主流路２０１と、各種試薬を流通させる副流路２０２、２０３、２０４、２０５とからなる。主流路２０１には試料溶液導入口から順に三方向電磁弁１０１ａ、１０１ｂ、ポンプ１０２ａ、気泡抜き１０３、三方向電磁弁１０１ｃ、測定槽１０７が配置されており、測定槽１０７には攪拌器１０８、イオン電極１０４、比較電極１０５、温度補償電極１０６が備わっている。なお、比較電極１０６にはヘッドタンク１０９から副流路２０５を介して内部液が補充される。そして、ポンプ１０２ａにより一定量の試料溶液が自動フッ化物イオン測定装置１００内に導入され測定槽１０７に送られ、フッ化物イオン濃度が測定され、測定後、排水槽１１０に排出される。自動フッ化物イオン測定装置１００に導入された試料溶液には、副流路２０４を介してＴＩＳＡＢ用タンク（２０Ｌ）１１３からＴＩＳＡＢが添加される。また、必要に応じて、副流路２０２を介して洗浄液タンク（２０Ｌ）１１１から電極洗浄剤が添加され、副流路２０３を介して校正液タンク（２０Ｌ）１１２から校正液が添加される。なお、副流路２０４にはポンプ１０２ｂ、キャッチバルブ１１４、及び三方切換コック１１５が配置されており、ポンプ１０２ａにより試料溶液に添加されるＴＩＳＡＢが一定量になるよう調整されている。
【発明の開示】
【発明が解決しようとする課題】
【０００５】
しかしながら、従来のイオン選択性電極を用いた測定では採取した試料溶液を一旦実験室に持ち帰って測定しなければならないのはわずらわしく、排出流路から採取した廃液のイオン濃度の測定を、その場で直ちに行いたいという要求が高い。
【０００６】
そこで本発明は、コンパクトな構成で、持ち運び可能なイオン濃度モニター及びそれに用いるイオン濃度測定用複合電極を提供すべく図ったものである。
【課題を解決するための手段】
【０００７】
すなわち本発明に係るイオン濃度測定用複合電極は、イオン選択性電極と比較電極とを備えているものであって、前記比較電極の内部液が、前記比較電極の先端に設けた液絡部を介して、前記イオン選択性電極の応答膜近傍に漏出するように構成してあり、前記内部液が、測定妨害物質用マスキング剤、測定対象イオンの錯体に対する錯体解離剤、電極洗浄剤、及びｐＨ調整剤からなる群より選ばれる少なくとも１種の試料溶液調整剤を含有していることを特徴とする。
【０００８】
本発明に係るイオン濃度測定用複合電極は、比較電極の内部液に錯体の解離剤等の試料溶液調整剤が含まれているので、例えばこれを備えたフッ化物イオン濃度モニターは、従来の自動フッ化物イオン濃度測定装置が備えていたＴＩＳＡＢを収容するための容器や、一定量のＴＩＳＡＢを試料溶液に添加するための定量機器や、それらを機能させるための複雑な配管系等が不要である。このため、本イオン濃度測定用複合電極を備えたイオン濃度モニターは、コンパクトな構成とすることができ、小型で、持ち運びが可能となり、実験室において使用するだけでなく、廃液の排出流路等に携帯又は現場に設置して、その場で直ちに測定対象のイオンの濃度測定を行うことを可能とする。
【０００９】
なお、本発明に係るイオン濃度測定用複合電極を備えたイオン濃度モニターとしては、例えば、当該イオン濃度測定用複合電極を、イオン濃度計本体と無線又は有線で接続したものが挙げられる。
【００１０】
本発明に係るイオン濃度測定用複合電極が測定対象とするイオン種としては特に限定されないが、例えば、フッ化物イオン、アンモニウムイオン、硝酸イオン等の水質汚濁防止法において有害物質として規制されているものや、カルシウムイオン、塩化物イオン、カリウムイオン等の水質環境を把握する上で有用な指標となるもの等が挙げられる。
【００１１】
前記内部液には試料溶液調整剤とともに、イオン強度調整剤が共存していてもよい。
【００１２】
更に、前記比較電極が、その基端部を収容するホルダーを備えているものであって、前記ホルダーと前記比較電極の基端部との間隙に液体を収容することが可能なように構成してあり、前記間隙と前記比較電極内部とが連絡していることが好ましい。
【００１３】
このようなものであれば、前記ホルダーと前記比較電極の基端部との間隙に補給用の比較電極内部液を収容し、その内部液を前記比較電極内へ補給することが可能である。また、前記間隙に補給用の内部液を注入することによって、比較電極内の内部液にヘッド圧をかけることができるので、このヘッド圧により液絡部から漏出する内部液の液量を容易に調整することができる。更に、比較電極内の内部液が減少すれば補給用の内部液が自動的に比較電極内に流入するので、従来の自動フッ化物イオン濃度測定装置のように頻繁に比較電極へ内部液を補給する必要もなくなり、比較電極の内部液補給用のタンクを別途備える必要もなくなるのでコンパクトな構成にすることが可能となる。
【００１４】
更に、本発明に係るイオン濃度測定用複合電極は、前記比較電極の液絡部と前記イオン選択性電極の応答膜を囲む遮断壁を備えていてもよい。
【００１５】
このようなものであれば、前記液絡部から漏出した比較電極の内部液が過度に拡散して希釈されるのを防ぐことができ、例えば、事業場の排出流路を流れる廃液中に、本発明に係るイオン濃度測定用複合電極を直接浸漬して、イオン濃度モニターによりその廃液のイオン濃度を測定する場合等に、前記比較電極の液絡部から漏出した内部液が廃液中に拡散することにより、試料溶液調整剤が希釈され適切に作用しなくなる事態を防ぐことができる。
【発明の効果】
【００１６】
このように本発明によれば、イオン濃度モニターをコンパクトで簡便な構成とすることができるので、小型で持ち運び可能なものとすることができ、実験室内だけでなく、携帯先でイオン濃度の測定を行うことができる。また、比較電極基端部に設置したホルダーに補給用内部液を備えることにより、比較電極内の内部液にヘッド圧を生じさせ、当該ヘッド圧により液絡部からの内部液の漏出量の調整しえるとともに、自動的に比較電極に内部液を補給することができる。
【発明を実施するための最良の形態】
【００１７】
以下、本発明の一実施形態に係るイオン濃度モニターを図面を参照して説明する。
【００１８】
本実施形態にかかるイオン濃度モニター１は、図１に示すように、試料溶液に接触させるプローブ２と、そのプローブ２に無線又は有線ケーブルＣＬで接続された本体３とを備えたもので、前記試料溶液のイオン濃度を測定して前記本体３に設けたディスプレイ３５にその測定値を表示するものである。本実施形態では、プローブ２としてイオン濃度測定用プローブを用い、それを本体３に接続して使用するように構成している。
【００１９】
このイオン濃度測定用プローブ２は、イオン選択性電極４と比較電極５とを一体化して備えたいわゆるイオン濃度測定用複合電極と称されるものであり、先端部に前記イオン選択性電極４及び比較電極５を表出させ、これを試料溶液に接触させ得るように構成したものである。なお、イオン濃度測定用プローブ２は、図１に示す形態に限られたものではなく先端の尖ったニードル形のものであってもよいし、その他の種々のタイプのプローブでも構わないのは言うまでもない。
【００２０】
本実施形態のイオン濃度測定用プローブ２は、例えば、図２に示すように、イオン選択性電極４が複合電極の中央に配置され、このイオン選択性電極４を断面同心円状に取り巻くように比較電極５が設けてある。なお、本実施形態とは逆に複合電極の中央に前記比較電極５が設けられ、この比較電極５を取り巻くようにイオン選択性電極４が設けてあってもよい。
【００２１】
前記イオン選択性電極４は、その内部に内部液４２及び当該内部液４２に浸漬した内部電極４１を備え、その先端には応答膜４３を備えている。
【００２２】
前記イオン選択性電極４が測定対象とするイオン種としては特に限定されないが、例えば、水質汚濁防止法により廃液中の濃度が規制されるフッ化物イオン、アンモニウムイオン、硝酸イオンや、水質環境を把握する上で有用な指標となるカルシウムイオン、塩化物イオン、カリウムイオン等が挙げられる。
また、前記イオン選択性電極４は、試料溶液の状態によっては錯体形成の可能性のある鉛、銅、水銀等の重金属イオンや、濃度測定時にｐＨ調整が必要なナトリウムイオンを測定対象とするものであってもよい。
【００２３】
例えば、測定対象のイオンがフッ化物イオンである場合は、イオン選択性電極４として応答膜４３がフッ化ランタン（ＬａＦ３）等からなるフッ化物イオン濃度測定用複合電極を使用する。そしてこの場合、内部液４２としては、例えば、１〜３．３３ｍｏｌ／Ｌ  ＫＣｌ、０．０５ｍｏｌ／Ｌ  ホウ酸ナトリウム、及び、１×１０−２〜１×１０−４ｍｏｌ／Ｌ  フッ化ナトリウム又はフッ化カリウムからなるものを使用する。
【００２４】
前記比較電極５は、その内部に内部液５２及び当該内部液５２に浸漬した内部電極５１を備え、その先端には液絡部５３を備えている。
【００２５】
前記内部電極５１は、Ａｇ／ＡｇＣｌからなるものであり、前記内部液５２は、ＫＣｌ溶液（１〜３．３３Ｍ  ＫＣｌ）に試料溶液調整剤が添加されてなるものである。
【００２６】
前記試料溶液調整剤としては、測定対象イオンに応じて適宜選択すればよく、特に限定されないが、例えば、測定物質妨害用マスキング剤、測定対象イオンの錯体に対する錯体形成解離剤、電極洗浄剤、ｐＨ調整剤等が挙げられる。この際、前記内部液にはイオン強度調整剤が共存していてもよい。
【００２７】
前記電極洗浄剤には、洗剤、抗菌剤、滅菌剤が含まれ、例えば次亜塩素酸ナトリウム、次亜塩素酸カリウム、銀イオン、水溶性キトサン等が例示される。
【００２８】
前記液絡部５３はセラミック等の多孔質材からなるものであり、内部液５２が液絡部５３から漏出するように構成してある。液絡部５３はイオン選択性電極４の応答膜４３に近接して配置してあり、液絡部５３から漏出した比較電極５の内部液５２はイオン選択性電極４の応答膜４３近傍に拡散する。
【００２９】
例えば、測定対象のイオンがフッ化物イオンである場合は、比較電極５の内部液５２としては錯体の解離剤及びイオン強度調整剤であるＴＩＳＡＢを含有するものを使用する。フッ化物イオンはＡｌ３＋やＦｅ３＋等の多価金属イオンが共存すると、これらと錯体を形成するが、当該錯体にＴＩＳＡＢが作用すると、フッ化物イオンと多価金属イオンとに解離する。
【００３０】
ＴＩＳＡＢは、ｐＨを５．２に調整するための酢酸／酢酸ナトリウム、錯体の解離剤であるクエン酸又はクエン酸水素ナトリウム、及び、イオン強度を調整するための塩化カリウムからなるものである。なお、クエン酸又はクエン酸水素ナトリウムの代わりにＥＤＴＡ等のキレート剤を用いてもよいし、ｐＨを調整するために酢酸／酢酸ナトリウム系バッファーの代わりにリン酸塩系バッファー等の弱酸塩を含む緩衝液を用いてよい。
【００３１】
このようなＴＩＳＡＢを含有する比較電極５の内部液５２としては、例えば、１〜３．３３ｍｏｌ／Ｌ  ＫＣｌ、０．１ｍｏｌ／Ｌ  クエン酸水素ナトリウム、及び、０．０５〜０．５ｍｏｌ／Ｌ  リン酸塩からなるものが挙げられる。
【００３２】
ＴＩＳＡＢを含有する比較電極５の内部液５２が液絡部５３から漏出すると、その内部液５２は前記イオン選択性電極４の応答膜４３近傍に拡散する。このため、応答膜４３近傍に形成された錯体はフッ化物イオンと多価金属イオンとに解離し、また、応答膜４３近傍での前記錯体の形成が抑制され、試料溶液中のフッ化物イオンの濃度を高い精度で測定することができる。
【００３３】
前記比較電極５の基端部には、当該基端部を収容するように例えば軸直断面が円形でありホルダー６が設けてある。ホルダー６の基端はＯリング７により封止されており、ホルダー６と比較電極５との間隙５４に補給用の比較電極内部液を収容することが可能なように構成してある。また、間隙５４と比較電極５の内部とは連通孔Ｖを介して連絡しており、間隙５４に収容した補給用の比較電極内部液は比較電極５内の内部液５２が減少すると自動的に比較電極５内に流入する。
【００３４】
しかして、間隙５４に補給用の比較電極内部液を注入すると、比較電極５内の内部液５２にはヘッド圧がかかり、間隙５４内の補給用の比較電極内部液の液量を変えることにより、当該ヘッド圧を変化させることができる。このため、間隙５４内の補給用の比較電極内部液の液量を変えることにより液絡部５３から漏出する内部液５２の液量を調整することができる。また、間隙５４に補給用の比較電極内部液を収容させておくことにより、比較電極５内の内部液５２が減少しても、自動的に補給することができる。
【００３５】
イオン選択性電極４の内部電極４１及び比較電極５の内部電極５１には、それぞれリード線８１が接続してあり、これらリード線８１はケーブル束８としてイオン濃度測定用プローブ２の基端部から外部に延出し本体３に接続されるようにしてある。そして、イオン選択性電極４及び比較電極５で発生した電位差は、プローブ出力信号として本体３に出力するように構成してある。
【００３６】
本体３は、図３に示すように、ハードウェア構成として、ＣＰＵ３１、Ａ／Ｄ変換器３２、記憶装置３３、入力手段３４、ディスプレイ３５等を一体的に備えた専用のものである。そして前記ＣＰＵ３１や必要に応じてその周辺機器が、前記記憶装置３３に格納したプログラムに基づいて動作することにより、測定データ算出部、測定データ格納部等としての機能を発揮する。
【００３７】
したがって、このように構成した本実施形態に係るイオン濃度モニター１は、試料溶液調整剤を収容するための容器や、一定量の試料溶液調整剤を試料溶液に添加するための定量機器や、複雑な配管系等が不要である。従って、コンパクトな構成となり、小型で、持ち運びが可能なものとすることができる。また、間隙５４に補給用の比較電極内部液を収容することにより、比較電極５内の内部液５２に対してヘッド圧がかかり、当該ヘッド圧により液絡部５３からの内部液５２の漏出量を調整することが可能になる。加えて、漏出により減少した内部液５２の補給を自動的に行うことができる。
【００３８】
なお、本発明は、前記実施形態に限られるものではない。
【００３９】
測定対象イオンがアンモニウムイオンである場合は、揮発性アミン化合物が測定妨害物質となり、この場合比較電極５の内部液５２としては測定物質妨害用マスキング剤として過酸化水素、二酸化マンガン、キノン等の酸化剤を含有するリン酸緩衝液や酢酸緩衝液等の弱酸性緩衝液を使用する。
【００４０】
測定対象イオンが硝酸イオンである場合は、塩化物イオン等のハロゲンイオンが測定妨害物質となり、この場合比較電極５の内部液５２としては測定物質妨害用マスキング剤として硫酸銀を含有するリン酸緩衝液や酢酸緩衝液等の弱酸性緩衝液を使用する。
【００４１】
測定対象イオンがカルシウムイオンである場合は、２価及び３価の鉄イオン等の重金属イオンが測定妨害物質となり、この場合比較電極５の内部液５２としてはトリスが測定物質妨害用マスキング剤及び錯体形成解離剤として機能する弱酸性のトリス緩衝液を使用する。
【００４２】
測定対象イオンが塩化物イオンである場合は、臭化物イオンが測定妨害物質となり、この場合比較電極５の内部液５２としては測定物質妨害用マスキング剤として塩化銀を含有し、錯体形成解離剤としてＥＤＴＡ等のキレート剤を含有するリン酸緩衝液や酢酸緩衝液等の弱酸性緩衝液を使用する。
【００４３】
測定対象イオンがカリウムイオンである場合は、比較電極５の内部液５２としてはリン酸緩衝液や酢酸緩衝液等の弱酸性緩衝液を使用する。
【００４４】
例えば、図４に示すように、比較電極５の液絡部５３とイオン選択性電極４の応答膜４３を囲む遮断壁９を備えていてもよい。具体的には、遮断壁９はホルダー６と軸直断面の外径が等しい円筒形状をなすものであり、その先端にめねじ部９１が設けてある。一方、ホルダー６の基端には遮断壁９のめねじ部９１に螺合するおねじ部６１が設けてある。そして、遮断壁９のめねじ部９１をホルダー６のおねじ部６１に螺合させることにより、遮断壁９はホルダー６に締結され、イオン選択性電極４の応答膜４３と比較電極５の液絡部５３とを包囲する。
【００４５】
しかして、遮断壁９により、比較電極５の液絡部５３より漏出した内部液５２が過度に拡散し希釈されて、応答膜４３近傍で試料溶液調整剤が適切に作用しない事態を防ぐことができる。このような遮断壁９は、例えば、事業場の排出流路中を流れる廃液中に、前記イオン濃度測定用プローブ２を直接浸漬して、その廃液のイオン濃度を測定する場合等に特に有効である。また、遮断壁９が設けてあることにより、比較電極５の液絡部５３と前記イオン選択性電極４の応答膜４３とを破損から保護することもできる。
【００４６】
また、図５に示すように、比較電極５の液絡部５３が屈曲しイオン選択性電極４の応答膜４３と対向するように設けられていてもよい。このような構成とすることにより、より確実に、応答膜４３近傍の試料溶液中で試料溶液調整剤を作用させることができる。
【００４７】
その他、本発明は、その趣旨を逸脱しない範囲で種々の変形が可能であることは言うまでもない。
【産業上の利用可能性】
【００４８】
本発明によって、イオン濃度モニターを小型で持ち運びが可能なものとすることができ、実験室において使用するだけでなく、排水流路、河川、湖沼、海等に携帯又は現場に設置して、その場で直ちに測定対象のイオンの濃度測定を行うことを可能とする。
【図面の簡単な説明】
【００４９】
【図１】本発明の一実施形態におけるイオン濃度モニターを示す外観斜視図。
【図２】同実施形態におけるイオン濃度測定用プローブの構成を概略的に示す模式的断面図。
【図３】同実施形態におけるイオン濃度モニター本体のハードウェア構成を示すハードウェア構成図。
【図４】他の実施形態におけるイオン濃度測定用プローブの構成を概略的に示す模式的断面図。
【図５】更に他の実施形態におけるイオン濃度測定用プローブの先端の構成を概略的に示す模式的部分断面図。
【図６】従来の自動フッ化物イオン測定装置の構成を示す液体流路図。
【符号の説明】
【００５０】
２…イオン濃度測定用複合電極
４…イオン選択性電極
４３…イオン選択性電極の応答膜
５…比較電極
５２…比較電極の内部液
５３…比較電極の液絡部
【図１】
0004657838.tif 000002
【図２】
0004657838.tif 000003
【図３】
0004657838.tif 000004
【図４】
0004657838.tif 000005
【図５】
0004657838.tif 000006
【図６】
0004657838.tif 000007